(57)【要約】【課題】企業の従業員の健康状態の管理において、医師および企業に掛かる負担を減らす検査システムを提供する。【解決手段】本発明の検査システムは、団体によって運営される団体側計算機と、検査対象となる前記団体に属する人（以下、所属員と呼ぶ。）の健康状態の程度を表す健康状態指標を導出し、当該健康状態指標を出力可能な検査装置と、を備え、前記団体側計算機は、前記検査装置から出力される前記所属員の前記健康状態指標を受信する検査情報受信部と、前記健康状態指標と、前記所属員への指示とを対応付ける指示対応テーブルを記憶する指示対応テーブル記憶部と、前記指示対応テーブルを参照して、前記検査情報受信部で受信された前記健康状態指標に対する前記指示を判定する判定部と、前記判定部で判定された前記指示を出力する指示出力部と、を有する。【選択図】  図５
2020095593.tif 000002
【特許請求の範囲】
【請求項１】
団体によって運営される団体側計算機と、
検査対象となる前記団体に属する人（以下、所属員と呼ぶ。）の健康状態の程度を表す健康状態指標を導出し、当該健康状態指標を出力可能な検査装置と、
を備え、
前記団体側計算機は、
前記検査装置から出力される前記所属員の前記健康状態指標を受信する検査情報受信部と、
前記健康状態指標と、前記所属員への指示とを対応付ける指示対応テーブルを記憶する指示対応テーブル記憶部と、
前記指示対応テーブルを参照して、前記検査情報受信部で受信された前記健康状態指標に対する前記指示を判定する判定部と、
前記判定部で判定された前記指示を出力する指示出力部と、
を有することを特徴とする、
検査システム。
【請求項２】
前記団体側計算機は、
前記検査情報受信部で受信された検査対象となる前記所属員の前記健康状態指標を一時的に保持し、前記判定部で判定された後に、前記健康状態指標を破棄するバッファ部を有することを特徴とする、
請求項１に記載の検査システム。
【請求項３】
前記検査装置から出力された検査対象となる前記所属員の前記健康状態指標を記憶すると共に、前記団体側計算機からのアクセスを制限する、前記団体とは別団体によって運営されて外部隔離計算機を備えることを特徴とする、
請求項１または２に記載の検査システム。
【請求項４】
前記団体側計算機と通信可能な所属員側計算機を備え、
前記所属員側計算機は、
前記指示出力部から出力される前記指示を受信する所属員側受信部を有することを特徴とする、
請求項１〜３のいずれかに記載の検査システム。
【請求項５】
前記所属員側計算機は、前記所属員の識別情報に対応付けられたものが複数あり、
前記指示出力部は、検査対象となった前記所属員に対する前記指示を当該所属員の前記識別情報に対応付けられた前記所属員側計算機に出力することを特徴とする、
請求項４に記載の検査システム。
【請求項６】
前記指示の中には、医師と面談を行うべき旨の面談指示が含まれ、
前記所属員側計算機は、
医師に面談を希望する旨の意思表示である面談希望意思表示の入力を外部から受け付ける入力部と、
前記入力部で受け付けた前記面談希望意思表示を出力する所属員側面談希望出力部と、
を有することを特徴とする、
請求項４に記載の検査システム。
【請求項７】
前記団体側計算機は、
前記所属員側面談希望出力部の出力先を記憶する出力先記憶部と、
前記出力先を前記前記所属員側計算機に出力する出力先出力部と、
を有し、
前記所属員側面談希望出力部は、前記出力先に出力することを特徴とする、
請求項６に記載の検査システム。
【請求項８】
前記面談希望に応じる医師に対応付けられる医師側計算機を備え、
前記出力先には、前記医師側計算機が含まれることを特徴とする、
請求項７に記載の検査システム。
【請求項９】
前記団体側計算機は、
前記団体の運営者によって操作され、前記出力先記憶部に記憶される前記出力先を更新する出力先更新部を有することを特徴とする、
請求項７または８に記載の検査システム。
【請求項１０】
前記指示の中には、前記検査装置により再検査を行うべき旨の再検査指示が含まれ、
前記判定部は、前記所属員に対して、所定回数、連続して前記再検査指示の判定を行った場合、前記面談指示の判定を行うことを特徴とする、
請求項６〜９のいずれかに記載の検査システム。
【請求項１１】
前記団体側計算機は、
前記検査装置により検査を行うことを勧奨する検査勧奨メッセージを前記所属員側計算機に出力するメッセージ出力部と、
前記メッセージ出力部が前記検査勧奨メッセージを前記所属員側計算機に出力してから所定期間内に、前記所属員側計算機に対応付けられた前記所属員の前記識別情報、および前記健康状態指標を前記検査装置から前記検査情報受信部が受信しない場合、当該所属員側計算機に再度、前記検査勧奨メッセージを出力するよう判定するメッセージ出力判定部と、
を有し、
前記メッセージ出力部は、前記メッセージ出力判定部での判定結果に応じて、再度、前記検査勧奨メッセージを出力することを特徴とする、
請求項５〜１０のいずれかに記載の検査システム。
【請求項１２】
前記団体側計算機は、
前記団体の運営者によって操作され、前記指示対応テーブル記憶部に記憶される前記指示対応テーブルを更新する指示対応テーブル更新部を有することを特徴とする、
請求項１〜１１のいずれかに記載の検査システム。
【請求項１３】
団体によって運営される団体側計算機と、
検査対象となる前記団体に属する人（以下、所属員と呼ぶ。）の健康状態の程度を表す健康状態指標を導出し、当該健康状態指標を出力可能な検査装置と、により、前記所属員の健康状態の検査を実施する検査方法であって、
前記検査装置により検査対象となった前記所属員の前記健康状態指標が導出され、検査対象となった前記所属員の前記健康状態指標が前記団体側計算機に出力される検査情報出力ステップと、
出力された検査対象となった前記所属員の前記健康状態指標が前記団体側計算機で受信される検査情報受信ステップと、
前記健康状態指標と、当該健康状態指標に対する医師からの指示とを対応付ける指示対応テーブルを参照して、前記団体側計算機で受信された前記健康状態指標に対する前記指示が判定される判定ステップと、
判定された前記指示が出力される指示出力ステップと、
を備えることを特徴とする、
検査支援方法。
【請求項１４】
団体によって運営される団体側計算機と、
検査対象となる前記団体に属する人（以下、所属員と呼ぶ。）の健康状態の程度を表す健康状態指標を導出し、当該健康状態指標を出力可能な検査装置と、
前記所属員の識別情報に対応付けられ、前記団体側計算機と通信可能な所属員側計算機と、により、前記所属員の健康状態の検査を実施する検査方法であって、
前記検査装置により検査対象となった前記所属員の前記健康状態指標が導出され、検査対象となった前記所属員の前記健康状態指標が前記団体側計算機に出力される検査情報出力ステップと、
出力された検査対象となった前記所属員の前記健康状態指標が前記団体側計算機で受信される検査情報受信ステップと、
前記健康状態指標と、当該健康状態指標に対する医師からの指示とを対応付ける指示対応テーブルを参照して、前記団体側計算機で受信された前記健康状態指標に対する前記指示が判定される判定ステップと、
判定された前記指示が、検査対象となった前記所属員の前記識別情報に対応付けられた前記所属員側計算機に出力される指示出力ステップと、
出力された前記指示が、前記所属員の前記識別情報に対応付けられた前記所属員側計算機で受信される判定結果受信ステップと、
を備えることを特徴とする、
検査支援方法。
【請求項１５】
前記検査装置により検査を行うことを勧奨する検査勧奨メッセージが前記団体側計算機により前記所属員側計算機に送信されるメッセージ送信ステップと、
前記メッセージが前記団体側計算機で受信されるメッセージ受信ステップと、
を備え、
前記検査情報送信ステップは、前記検査勧奨メッセージが前記団体側計算機で受信された後に行われることを特徴とする、
請求項１４に記載の検査支援方法。
【発明の詳細な説明】
【技術分野】
【０００１】
本発明は、団体内に所属する人に対する検査システム、および検査方法に関する。
【背景技術】
【０００２】
近年、企業の従業員の疲労やストレスに起因したトラブルが多くなってきている。このため、企業には、各従業員の健康状態に対する配慮が求められている。このような各従業員の健康状態を管理するものとして、例えば、被検者の生体情報を測定して送信可能な複数のセンサと、前記センサから通信網を介して前記生体情報を受信して記憶するサーバー装置と、前記サーバー装置に記録された前記生体情報を閲覧可能な医師端末とを備える健康管理支援システムが提案されている（例えば、特許文献１参照）。健康管理支援システムによれば、医師が医師端末を通じて、被験者である従業員の健康状態を管理することができる。
【先行技術文献】
【特許文献】
【０００３】
【特許文献１】特開２００６−２５４９４８号公報
【発明の概要】
【発明が解決しようとする課題】
【０００４】
しかしながら、上記健康管理支援システムを用いて従業員の健康状態を管理する場合、各従業員の健康状態を産業医等の医師が医師端末により把握することになるが、従業員の数が増えれば増えるほど医師に多大な労力と精神的な負担を掛けることになると共に、企業が負担するコストも増大する。このため、従業員の健康状態の管理において、まず第一に従業員が自己検査できる環境が望まれる。
【０００５】
本発明は、斯かる実情に鑑み、企業の従業員の健康状態の管理において、医師および企業に掛かる負担を減らす検査システム、および、検査方法を提供しようとするものである。
【課題を解決するための手段】
【０００６】
本発明は上記課題を解決するためになされたものであり、本発明の検査システムは、団体によって運営される団体側計算機と、検査対象となる前記団体に属する人（以下、所属員と呼ぶ。）の健康状態の程度を表す健康状態指標を導出し、当該健康状態指標を出力可能な検査装置と、を備え、前記団体側計算機は、前記検査装置から出力される前記所属員の前記健康状態指標を受信する検査情報受信部と、前記健康状態指標と、前記所属員への指示とを対応付ける指示対応テーブルを記憶する指示対応テーブル記憶部と、前記指示対応テーブルを参照して、前記検査情報受信部で受信された前記健康状態指標に対する前記指示を判定する判定部と、前記判定部で判定された前記指示を出力する指示出力部と、を有することを特徴とする。
【０００７】
また、本発明の検査システムにおいて、前記団体側計算機は、前記検査情報受信部で受信された検査対象となる前記所属員の前記健康状態指標を一時的に保持し、前記判定部で判定された後に、前記健康状態指標を破棄するバッファ部を有することを特徴とする。
【０００８】
また、本発明の検査システムにおいて、前記検査装置から出力された検査対象となる前記所属員の前記健康状態指標を記憶すると共に、前記団体側計算機からのアクセスを制限する、前記団体とは別団体によって運営されて外部隔離計算機を備えることを特徴とする。
【０００９】
また、本発明の検査システムにおいて、前記団体側計算機と通信可能な所属員側計算機を備え、前記所属員側計算機は、前記指示出力部から出力される前記指示を受信する所属員側受信部を有することを特徴とする。
【００１０】
また、本発明の検査システムにおいて、前記所属員側計算機は、前記所属員の識別情報に対応付けられたものが複数あり、前記指示出力部は、検査対象となった前記所属員に対する前記指示を当該所属員の前記識別情報に対応付けられた前記所属員側計算機に出力することを特徴とする。
【００１１】
また、本発明の検査システムにおいて、前記指示の中には、医師と面談を行うべき旨の面談指示が含まれ、前記所属員側計算機は、医師に面談を希望する旨の意思表示である面談希望意思表示の入力を外部から受け付ける入力部と、前記入力部で受け付けた前記面談希望意思表示を出力する所属員側面談希望出力部と、を有することを特徴とする。
【００１２】
また、本発明の検査システムにおいて、前記団体側計算機は、前記所属員側面談希望出力部の出力先を記憶する出力先記憶部と、前記出力先を前記前記所属員側計算機に出力する出力先出力部と、を有し、前記所属員側面談希望出力部は、前記出力先に出力することを特徴とする。
【００１３】
また、本発明の検査システムにおいて、前記面談希望に応じる医師に対応付けられる医師側計算機を備え、前記出力先には、前記医師側計算機が含まれることを特徴とする。
【００１４】
また、本発明の検査システムにおいて、前記団体側計算機は、前記団体の運営者によって操作され、前記出力先記憶部に記憶される前記出力先を更新する出力先更新部を有することを特徴とする。
【００１５】
また、本発明の検査システムにおいて、前記指示の中には、前記検査装置により再検査を行うべき旨の再検査指示が含まれ、前記判定部は、前記所属員に対して、所定回数、連続して前記再検査指示の判定を行った場合、前記面談指示の判定を行うことを特徴とする。
【００１６】
また、本発明の検査システムにおいて、前記団体側計算機は、前記検査装置により検査を行うことを勧奨する検査勧奨メッセージを前記所属員側計算機に出力するメッセージ出力部と、前記メッセージ出力部が前記検査勧奨メッセージを前記所属員側計算機に出力してから所定期間内に、前記所属員側計算機に対応付けられた前記所属員の前記識別情報、および前記健康状態指標を前記検査装置から前記検査情報受信部が受信しない場合、当該所属員側計算機に再度、前記検査勧奨メッセージを出力するよう判定するメッセージ出力判定部と、を有し、前記メッセージ出力部は、前記メッセージ出力判定部での判定結果に応じて、再度、前記検査勧奨メッセージを出力することを特徴とする。
【００１７】
また、本発明の検査システムにおいて、前記団体側計算機は、前記団体の運営者によって操作され、前記指示対応テーブル記憶部に記憶される前記指示対応テーブルを更新する指示対応テーブル更新部を有することを特徴とする。
【００１８】
また、本発明の検査方法は、団体によって運営される団体側計算機と、検査対象となる前記団体に属する人（以下、所属員と呼ぶ。）の健康状態の程度を表す健康状態指標を導出し、当該健康状態指標を出力可能な検査装置と、により、前記所属員の健康状態の検査を実施する検査方法であって、前記検査装置により検査対象となった前記所属員の前記健康状態指標が導出され、検査対象となった前記所属員の前記健康状態指標が前記団体側計算機に出力される検査情報出力ステップと、出力された検査対象となった前記所属員の前記健康状態指標が前記団体側計算機で受信される検査情報受信ステップと、前記健康状態指標と、当該健康状態指標に対する医師からの指示とを対応付ける指示対応テーブルを参照して、前記団体側計算機で受信された前記健康状態指標に対する前記指示が判定される判定ステップと、判定された前記指示が出力される指示出力ステップと、を備えることを特徴とする。
【００１９】
また、本発明の検査方法は、団体によって運営される団体側計算機と、検査対象となる前記団体に属する人（以下、所属員と呼ぶ。）の健康状態の程度を表す健康状態指標を導出し、当該健康状態指標を出力可能な検査装置と、前記所属員の識別情報に対応付けられ、前記団体側計算機と通信可能な所属員側計算機と、により、前記所属員の健康状態の検査を実施する検査方法であって、前記検査装置により検査対象となった前記所属員の前記健康状態指標が導出され、検査対象となった前記所属員の前記健康状態指標が前記団体側計算機に出力される検査情報出力ステップと、出力された検査対象となった前記所属員の前記健康状態指標が前記団体側計算機で受信される検査情報受信ステップと、前記健康状態指標と、当該健康状態指標に対する医師からの指示とを対応付ける指示対応テーブルを参照して、前記団体側計算機で受信された前記健康状態指標に対する前記指示が判定される判定ステップと、判定された前記指示が、検査対象となった前記所属員の前記識別情報に対応付けられた前記所属員側計算機に出力される指示出力ステップと、出力された前記指示が、前記所属員の前記識別情報に対応付けられた前記所属員側計算機で受信される判定結果受信ステップと、を備えることを特徴とする。
【００２０】
また、本発明の検査方法において、前記検査装置により検査を行うことを勧奨する検査勧奨メッセージが前記団体側計算機により前記所属員側計算機に送信されるメッセージ送信ステップと、前記メッセージが前記団体側計算機で受信されるメッセージ受信ステップと、を備え、前記検査情報送信ステップは、前記検査勧奨メッセージが前記団体側計算機で受信された後に行われることを特徴とする。
【発明の効果】
【００２１】
本発明の検査システムによれば、企業の従業員の健康状態の管理において、医師および企業に掛かる負担を減らすことができるという優れた効果を奏し得る。
【図面の簡単な説明】
【００２２】
【図１】本発明の第一実施形態における検査システムの概念図である。
【図２】本発明の第一実施形態における検査システムの検査装置を構成する計算機のハード構成を示す図である。
【図３】本発明の第一実施形態における検査システムの検査装置の機能ブロック図である。
【図４】本発明の第一実施形態における検査システムの団体側計算機等を構成する計算機のハード構成を示す図である。
【図５】本発明の第一実施形態における検査システムの団体側計算機の機能ブロック図である。
【図６】（Ａ），（Ｂ）は、本発明の第一実施形態における検査システムの団体側計算機の指示対応テーブルの一例を示す図である。（Ｃ）は、指示対応テーブルの内容が決定された際の団体側の条件を表示するインターフェースを示す図である。
【図７】本発明の第一実施形態における検査システムの団体側計算機で計算された判定結果表示の一例を示す図である。
【図８】（Ａ）は、本発明の第一実施形態における検査システムの団体側計算機の宛先対応テーブルの一例を示す図である。（Ｂ）は、（Ａ）の状態から更新された宛先対応テーブルの一例を示す図である。
【図９】本発明の第一実施形態における検査システムの所属員側計算機の機能ブロック図である。
【図１０】本発明の第一実施形態における検査システムの所属員側計算機に判定結果が表示された様子を示す図である。
【図１１】本発明の第一実施形態における検査システムの所属員側計算機において、面談希望の出力確認が表示された様子を示す図である。
【図１２】（Ａ）は、本発明の第一実施形態における検査システムの外部隔離計算機の機能ブロック図である。（Ｂ）は、本発明の第一実施形態における検査システムの医師側計算機の機能ブロック図である。（Ｃ）は、本発明の第一実施形態における検査システムの外部隔離計算機で健康状態指標としてのＡＨＩが記憶される態様を示す図である。
【図１３】本発明の第一実施形態における検査システムにより検査を行う流れを示すフローチャートである。
【図１４】本発明の第一実施形態における検査システムにより所属員側処理を行う流れを示すフローチャートである。
【図１５】本発明の第一実施形態における検査システムにより判定処理を行う流れを示すフローチャートである。
【図１６】本発明の第一実施形態における検査システムにより検査勧奨メッセージ再出力処理を行う流れを示すフローチャートである。
【図１７】（Ａ）は、本発明の第二実施形態における検査システムの概念図である。（Ｂ）は、本発明の第二実施形態における検査システムの一部を変形させた検査システムの概念図である。
【発明を実施するための形態】
【００２３】
以下、本発明の実施の形態について添付図面を参照して説明する。
【００２４】
＜第一実施形態＞
図１を参照して、本発明の第一実施形態における検査システム１について説明する。検査システム１は、団体に属する人（以下、所属員と呼ぶ。）の健康状態を検査するシステムであって、例えば、検査装置２と、団体側計算機３と、所属員側計算機４と、外部隔離計算機５と、医師側計算機６と、を備える。
【００２５】
本実施形態において、検査装置２、所属員側計算機４、および医師側計算機６は、それぞれ複数で構成され、団体側計算機３および外部隔離計算機５はそれぞれ１つで構成されるが、これは一例であって、その他の構成であってもよい。また、各検査装置２、各所属員側計算機４、外部隔離計算機５および各医師側計算機６は、ネットワーク７を通じて、団体側計算機３と通信可能である。
【００２６】
また、団体には、企業のみならず、その他の様々な態様の団体が含まれる。団体が企業の場合、所属員は、例えば、従業員となる。また、団体が企業の場合、医師は、例えば、産業医となる。
【００２７】
＜検査装置＞
図２および図３を参照して、検査装置２について説明する。検査装置２は、検査対象となる所属員の生体情報を取得して、当該所属員の健康状態の程度を表す健康状態指標を導出するものである。そして、検査装置２は、健康状態指標を団体側計算機３に出力する。団体側計算機３は、検査装置２から出力される健康状態指標を受信する。検査装置２は、所属員それぞれに用意されてもよいし、複数の所属員で共有されてもよい。検査装置２として、例えば、無呼吸検査装置が一例として挙げられるが、これに限定されるものではなく、その他の検査装置であってもよい。検査装置２が無呼吸検査装置である場合、健康状態指標は、無呼吸低呼吸指数ＡＨＩ（Apnea Hypopnea Index）となる。
【００２８】
＜検査装置のハード構成＞
図２を参照して、検査装置２のハード構成について説明する。検査装置２は、図２に示すように、例えば、ＣＰＵ１０１、ＲＡＭ１０２、ＲＯＭ１０３、記憶媒体１０４、無線通信インターフェース１０５と、アンテナ１０６と、有線通信インターフェース１０７と、接続コネクタ１０８と、操作入力インターフェース１０９と、操作入力装置１１０と、表示制御部１１１と、表示装置１１２と、センサインターフェース１１３と、センサ１１４と、電源装置１１５と、バス１１６と、を有する計算機１０により構成される。なお、図２中においてＩ／Ｆの表記は、インターフェースの略である。
【００２９】
ＣＰＵ１０１は、計算機１０内の全体の処理を司るものであり、作業領域としてＲＡＭ１０２を使用する。ＲＯＭ１０３には、例えば、計算機１０を起動させるためのプログラムや、計算機１０の基本的な動作を実現するオペレーティングシステム（ＯＳ）や、健康状態指標を導出するためのプログラムが書き込まれる。記憶媒体１０４は、例えば、フラッシュメモリ等により構成される。記憶媒体１０４には、例えば、導出された健康状態指標等の検査情報や、所属員の識別情報などが保存される。
【００３０】
無線通信インターフェース１０５は、外部装置との間で無線通信により送受信されるデータの変換処理（変調・復調）等を行うものであり、アンテナ１０６に接続される。アンテナ１０６は、外部から送信されるデータを受信して無線通信インターフェース１０５へ送る。また、アンテナ１０６は、無線通信インターフェース１０５から供給されるデータを外部へ送信する。
【００３１】
有線通信インターフェース１０７は、例えば、外部装置との間で有線通信により送受信されるデータの変換処理等を行うものであり、接続コネクタ１０８に接続される。有線通信インターフェース１０７として、例えば、ＵＳＢ等のシリアルバス規格を用いたものが挙げられるが、これに限定されるものではない。その他の有線通信インターフェース１０７として、ＩＥＥＥ１３９４等のシリアルバス方式、ＳＣＳＩ等のパラレルバス方式を採用したいずれのものであってもよい。また、有線通信インターフェース１０７は、外部のネットワークに接続可能なものを含んでいてもよい。そのような有線通信インターフェース１０７の規格として、例えば、イーサネット(登録商標)(Ethernet)が一例として挙げられる。
【００３２】
操作入力インターフェース１０９は、操作入力装置１１０からの操作信号を、バス１１６を通じてＣＰＵ１０１へ伝えるものである。表示制御部１１１は、ＣＰＵ１０１の命令に従った表示を表示装置１１２にさせるものである。ＣＰＵ１０１の命令は、バス１１６を通じて表示制御部１１１に伝えられる。操作入力装置１１０は、例えば、表示装置１１２の表示部分をタッチして入力するタッチパネル方式のものであってもよいし、ボタンを押して入力する方式のものであってもよいし、マウスで構成されてもよい。表示装置１１２は、検査装置２の本体に埋め込まれた液晶表示装置であってもよいし、検査装置２の本体に接続される外部液晶モニタであってもよい。
【００３３】
センサインターフェース１１３は、センサ１１４が取得した生体信号を、バス１１６を通じてＣＰＵ１０１へ伝えるものである。センサ１１４は、人の生体情報を取得するものであり、例えば、人の呼吸を検知する圧力センサ等が一例として挙げられる。
【００３４】
電源装置１１５は、計算機１０内の各部に電力を供給する。電源装置１１５は、例えば、充電可能な蓄電池で構成されてもよいし、外部電源から供給される電力を計算機１０で使用可能な形態の電力に変換する回路により構成されてもよい。
【００３５】
＜検査装置の機能ブロック構成＞
図３を参照して、検査装置２の機能ブロックの構成について説明する。検査装置２は、例えば、生体情報取得部２０と、健康状態指標導出部２１と、検査側入力部２２と、検査側記憶部２３と、検査側出力部２４と、を有する。
【００３６】
生体情報取得部２０は、検査対象となる所属員の生体情報を取得するものである。検査装置２が無呼吸検査装置である場合、生体情報取得部２０は、例えば、鼻カニューレ式の圧力センサを有する。鼻カニューレ式の圧力センサでは、鼻呼吸に関する生体情報が取得される。鼻呼吸に関する生体情報には、例えば、鼻呼吸に関する時間経過波形等が含まれる。生体情報取得部２０は、主として、計算機１０におけるセンサインターフェース１１３およびセンサ１１４により実現される。
【００３７】
健康状態指標導出部２１は、生体情報取得部２０で取得された生体情報に基づいて、健康状態指標を導出するものである。健康状態指標導出部２１は、主として、計算機１０におけるＣＰＵ１０１、ＲＡＭ１０２、健康状態指標を導出するためのプログラムが書き込まれたＲＯＭ１０３等で実現される。
【００３８】
検査側入力部２２は、外部からの入力を受け付けるものである。具体的に検査側入力部２２は、例えば、検査対象となる所属員の識別情報の入力を受け付ける。所属員の識別情報として、所属員に割り当てられたユニークな番号、所属員の氏名、年齢、性別等が挙げられる。検査側入力部２２は、主として、計算機１０における操作入力インターフェース１０９および操作入力装置１１０等で実現される。
【００３９】
検査側記憶部２３は、所定の情報を記憶するものである。所定の情報として、例えば、健康状態指標を含む検査情報等や、検査側入力部２２により入力された検査対象となる所属員の識別情報が一例として挙げられる。検査側記憶部２３では、記憶された情報が一時的に記憶されて、検査側出力部２４から当該情報が出力された後に破棄されてもよいし、継続的に記憶されてもよい。検査側記憶部２３は、主として、計算機１０における記憶媒体１０４等により実現される。
【００４０】
検査側出力部２４は、検査情報を団体側計算機３に出力するものである。検査側出力部２４の上記出力は、無線通信により実現されてもよいし、または、有線通信により実現されてもよい。検査情報には、検査対象となる所属員の健康状態指標が含まれる。検査側出力部２４は、主として、計算機１０における無線通信インターフェース１０５およびアンテナ１０６、または、計算機１０における有線通信インターフェース１０７および接続コネクタ１０８等により実現される。
【００４１】
＜団体側計算機＞
図４および図５を参照して、団体側計算機３について説明する。団体側計算機３は、団体によって運営される計算機である。団体側計算機３は、各検査装置２から出力される検査情報を受信して、検査情報を判定して、検査情報に対応する指示を含む判定結果を作成して所属員側計算機４に出力するものである。
【００４２】
＜団体側計算機のハード構成＞
図４を参照して、団体側計算機３のハード構成について説明する。団体側計算機３は、図４に示すように、例えば、ＣＰＵ１０１、ＲＡＭ１０２、ＲＯＭ１０３、記憶媒体１０４、無線通信インターフェース１０５と、アンテナ１０６と、有線通信インターフェース１０７と、接続コネクタ１０８と、操作入力インターフェース１０９と、操作入力装置１１０と、表示制御部１１１と、表示装置１１２と、電源装置１１５と、バス１１６と、音声制御部１１７と、スピーカ１１８と、を有する計算機１１により構成される。
【００４３】
ＣＰＵ１０１は、計算機１１内の全体の処理を司るものであり、作業領域としてＲＡＭ１０２を使用する。ＲＯＭ１０３には、例えば、計算機１１を起動させるためのプログラムや、その他のＣＰＵ１０１で実行される基本的なプログラムが書き込まれている。記憶媒体１０４は、例えば、ハードディスクドライブ（ＨＤＤ）および／または、ソリッドステートドライブ（ＳＳＤ）等により構成される。記憶媒体１０４には、例えば、計算機１１の基本的な動作を実現するオペレーティングシステム（ＯＳ）や、そのオペレーティングシステムに依存するプログラムが書き込まれる。また、記憶媒体１０４は、供給されるデータの保存場所としても機能する。
【００４４】
無線通信インターフェース１０５と、アンテナ１０６と、有線通信インターフェース１０７と、接続コネクタ１０８と、操作入力インターフェース１０９と、操作入力装置１１０と、表示制御部１１１と、表示装置１１２と、電源装置１１５とは、＜検査装置のハード構成＞で説明した計算機１０と同様のものであるので、説明を省略する。
【００４５】
音声制御部１１７は、ＣＰＵ１０１の命令に従って、スピーカ１１８を通じて音声の出力を行うものである。ＣＰＵ１０１の命令は、バス１１６を通じて音声制御部１１７に伝えられる。
【００４６】
具体的に団体側計算機３は、例えば、タワー型のパソコンやノートパソコンにより構成されてもよい。
【００４７】
＜団体側計算機の機能ブロック＞
図５を参照して、団体側計算機３の機能ブロックについて説明する。団体側計算機３は、例えば、指示対応テーブル記憶部３０と、団体側条件記憶部３０Ａと、指示対応テーブル更新部３１と、団体側受信部３２と、バッファ部３３と、判定部３４と、判定結果記憶部３４Ａと、出力先対応テーブル記憶部３５と、勤怠管理連動部３５Ａと、出力先対応テーブル更新部３６と、団体側出力部３７と、メッセージ出力判定部３８と、団体側表示部３９Ａと、団体側入力部３９Ｂと、を有する。
【００４８】
指示対応テーブル記憶部３０は、健康状態指標と、所属員への指示とを対応付ける指示対応テーブル３００（例えば、図６（Ａ）参照）を記憶するものである。指示は、例えば、健康状態指標に応じた医師の指示に相当する。指示対応テーブル記憶部３０は、主として、計算機１１における記憶媒体１０４等により実現される。
【００４９】
健康状態指標が無呼吸低呼吸指数ＡＨＩである場合、指示対応テーブル３００では、例えば、図６（Ａ）に示すように、ＡＨＩ数値３１０に２つの閾値が設けられて３つの範囲に分けられ、それぞれの範囲に対応する指示内容３４０が設定される。また、表示色３２０、および表示内容３３０がさらに設定されてもよい。ＡＨＩ数値３１０には、例えば、２つの閾値「１５」、「３０」が設定されて、「０〜１５」の第一範囲、「１５〜３０」の第二範囲、および「３０以上」の第三範囲に分けられる。
【００５０】
なお、表示色３２０は、図７の判定結果表示に示すように、団体側計算機３において作成される「睡眠時無呼吸の自己検査結果」における睡眠状態程度バー４１０に表示される色である。例えば、ＡＨＩ数値３１０の第一範囲では、表示色３２０は「青」となり、ＡＨＩ数値３１０の第二範囲では、表示色３２０は「黄」となり、ＡＨＩ数値３１０の第三範囲では、表示色３２０は「赤」となる。
【００５１】
表示内容３３０は、図７の判定結果表示に示すように、団体側計算機３において作成される「睡眠時無呼吸の自己検査結果」における「あなたの睡眠時無呼吸程度」４２０で表示される内容である。例えば、ＡＨＩ数値３１０の第一範囲では、表示内容３３０は「問題無し」となり、ＡＨＩ数値３１０の第二範囲では、表示内容３３０は「軽度な異常有り」となり、ＡＨＩ数値３１０の第一範囲では、表示内容３３０は「異常有り」となる。
【００５２】
指示内容は、図７の判定結果表示に示すように、団体側計算機３において作成される「睡眠時無呼吸の自己検査結果」における「対応指示内容」４３０で表示される内容である。例えば、ＡＨＩ数値３１０の第一範囲では、指示内容３４０は「睡眠に関して、特記対応無し。引き続き、健康の維持に努めて下さい」となり、ＡＨＩ数値３１０の第二範囲では、指示内容３４０は「ただちに、同様の自己検査で、再検査を行って下さい」となり、ＡＨＩ数値３１０の第三範囲では、指示内容３４０は「結果を持って、速やかに医師面談を受けて下さい」となる。
【００５３】
なお、図７の判定結果表示における識別番号、氏名、生年月日（年齢）、性別は、後述する出力先対応テーブル５００が参照されて、出力される。
【００５４】
以上の指示対応テーブル３００の内容は、一例であって、その他の内容であってもよい。指示対応テーブル３００の内容は、団体の中で自由に決めることができる。団体が企業なら、例えば、衛生委員会の中で決定することができる。指示対応テーブル３００の内容が決定された際の団体側の条件は、団体側条件記憶部３０Ａで記憶される。団体側の条件として、例えば、衛生委員会の構成員の氏名（代表者氏名、総括安全衛生管理者氏名、産業医氏名、衛生管理者氏名）、指示対応テーブル３００の内容について決定した衛生委員会等の開催日、指示対応テーブル３００の内容についての決定（衛生委員会で指示対応テーブル３００の数値等を決定したのか、それとも、指示対応テーブル３００の数値等を決定する担当者を決定したのか、それとも、その他の決定か）、指示対応テーブル３００の内容について決定した衛生委員会等の内容を周知した日、指示対応テーブル３００の内容の入力担当者（代表者、または、総括安全衛生管理者、または、産業医、または、その他）等が一例として挙げられる。団体側の条件は、図６（Ｃ）に示すようなインターフェースで、後述する団体側表示部３９Ａや、所属員側計算機４（所属員側表示部４１）で表示可能である。
【００５５】
指示対応テーブル記憶部３０で記憶される指示対応テーブル３００の内容は、指示対応テーブル更新部３１により更新することができる。指示対応テーブル更新部３１は、団体の運営者によって操作される。指示対応テーブル更新部３１は、主として、計算機１１におけるＣＰＵ１０１、ＲＡＭ１０２、更新のためのプログラムが書き込まれたＲＯＭ１０３、操作入力インターフェース１０９および操作入力装置１１０等で実現される。
【００５６】
団体側受信部３２は、検査装置２および所属員側計算機４から出力されるデータを受信するものである。団体側受信部３２は、例えば、検査装置２から検査情報を受信する検査情報受信部３２Ａと、所属員側計算機４から後述する面談希望の意思表示を受信する団体側面談希望受信部３２Ｂと、を有する。団体側受信部３２は、主として、計算機１１における無線通信インターフェース１０５およびアンテナ１０６、または、計算機１１における有線通信インターフェース１０７および接続コネクタ１０８等により実現される。
【００５７】
バッファ部３３は、団体側受信部３２で受信されたデータ（例えば、健康状態指標）を一時的に保持し、所定の処理が終了した後に、当該データを破棄するものである。例えば、検査情報受信部３２Ａで受信された検査情報は、バッファ部３３で一時的に保持され、判定部３４での判定が終了した後に、団体側計算機３から破棄される。そして、図７に示すように、破棄される旨のメッセージ４４０が判定結果出力部３７Ｂから所属員側計算機４に出力されることが好ましい。なお、検査情報受信部３２Ａで受信された検査情報は、団体側計算機３では保存されずに破棄されるが、後述する検査情報出力部３７Ｅにより外部隔離計算機５に出力される。そして、外部隔離計算機５では、検査情報（健康状態指標）は、団体側計算機３を含む団体が保有する計算機からアクセスできない状態で保存される。バッファ部３３は、主として、ＲＡＭ１０２等で実現される。
【００５８】
判定部３４は、指示対応テーブル３００を参照して、検査情報受信部３２Ａで受信された健康状態指標に対する評価を判定する。評価には、例えば、指示対応テーブル３００における、表示色３２０、表示内容３３０、および指示内容３４０が含まれる。判定部３４は、主として、ＣＰＵ１０１、ＲＡＭ１０２、健康状態指標に対する評価を判定するためのプログラムが書き込まれたＲＯＭ１０３、指示対応テーブル３００が記憶される記憶媒体１０４等により実現される。
【００５９】
例えば、検査情報受信部３２Ａで受信された健康状態指標としてのＡＨＩ数値が「１０」である場合、判定部３４は、指示対応テーブル３００を参照して、表示色３２０を「青」と判定し、表示内容３３０を「問題無し」と判定し、指示内容３４０を「睡眠に関して、特記対応無し。引き続き、健康の維持に努めて下さい」と判定する。また、検査情報受信部３２Ａで受信された健康状態指標としてのＡＨＩ数値が「３５」である場合、判定部３４は、指示対応テーブル３００を参照して、表示色３２０を「赤」と判定し、表示内容３３０を「異常有り」と判定し、指示内容３４０を「結果を持って、速やかに医師面談を受けて下さい」（以下、面談指示と呼ぶ。）と判定する。
【００６０】
判定結果記憶部３４Ａは、判定部３４で判定された評価を記憶するものである。健康状態指標そのものは、団体側計算機３内部では保持されないが、評価は保持されてもよい。判定結果記憶部３４Ａは、主として、計算機１１における記憶媒体１０４等により実現される。なお、判定結果記憶部３４Ａは、なくてもよい。
【００６１】
出力先対応テーブル記憶部３５は、所属員の識別番号５１０と、所属員の宛先アドレス５２０と、名前５３０、年齢５４０、生年月日５５０、性別５６０、所属部署５７０と、を対応付ける出力先対応テーブル５００を記憶するものである。図８（Ａ）に示すように、出力先対応テーブル５００の所属員の識別番号５１０として、例えば、所属員に割り当てられたユニークな番号「００００１」等が一例として挙げられる。図８（Ａ）に示すように、出力先対応テーブル５００の所属員の宛先アドレス５２０として、例えば、所属員側計算機４において受信可能なＥメールアドレス「aa00001@（ドメイン）」等が一例として挙げられる。なお、図７の判定結果表示における「識別番号」、「氏名」、「生年月日（年齢）」、「性別」は、出力先対応テーブル記憶部３５における所属員の識別番号５１０、名前５３０、年齢５４０、生年月日５５０、性別５６０が参照されて表示される。出力先対応テーブル記憶部３５は、主として、計算機１１における記憶媒体１０４等により実現される。
【００６２】
出力先対応テーブル更新部３６は、出力先対応テーブル５００の内容を更新するものである。出力先対応テーブル更新部３６は、団体の運営者によって操作される。例えば、図８（Ａ）に示す出力先対応テーブル５００の所属員識別情報「００００４」、「００００５」に対応する宛先アドレス５２０「aa00001@（ドメイン）」、「aa00002@（ドメイン）」を、出力先対応テーブル更新部３６により、図８（Ｂ）に示す出力先対応テーブル５００の「aa00004@（ドメイン）」、「aa00005@（ドメイン）」ように変更することができる。出力先対応テーブル更新部３６は、主として、計算機１１におけるＣＰＵ１０１、ＲＡＭ１０２、更新のためのプログラムが書き込まれたＲＯＭ１０３、操作入力インターフェース１０９および操作入力装置１１０等で実現される。
【００６３】
勤怠管理装置９は、所属員の出退勤に関する時刻の打刻を記録して、所属員の勤怠管理を行うものである。勤怠管理連動部３５Ａは、勤怠管理装置９で打刻が記録されると、それに連動して、団体側計算機３の各部に出勤、または、退勤の情報を伝達する。出勤、または、退勤の情報が伝達されると、例えば、後述するメッセージ出力部３７Ｄから出力されるメッセージの全部、または一部は、勤怠管理装置９に出力される。勤怠管理装置９は、メッセージを受信して、自身の表示部の表示画面（ディスプレイ画面）にメッセージを表示する。所属員は、出退勤時には必ず勤怠管理装置９に立ち寄るため、勤怠管理装置９にメッセージを表示させれば、所属員にメッセージを強く印象づけることができる。
【００６４】
団体側出力部３７は、各所属員側計算機４、または、外部隔離計算機５、または、各医師側計算機６にデータを出力するものである。本実施形態において団体側出力部３７からのデータの出力は、ネットワーク７を通じて行われる。団体側出力部３７は、例えば、指示出力部３７Ａを有する判定結果出力部３７Ｂと、団体側面談希望出力部３７Ｃと、メッセージ出力部３７Ｄと、検査情報出力部３７Ｅと、を有する。団体側出力部３７は、主として、計算機１１における無線通信インターフェース１０５およびアンテナ１０６、または、計算機１１における有線通信インターフェース１０７および接続コネクタ１０８等により実現される。
【００６５】
判定結果出力部３７Ｂは、判定部３４で判定された評価を判定結果として出力するものである。判定結果出力部３７Ｂには、指示対応テーブル３００における指示内容３４０を出力する指示出力部３７Ａが含まれる。上記判定結果の出力先は、出力先対応テーブル５００を参照して、検査装置２において検査対象となった所属員の識別情報に対応する宛先アドレスを有する所属員側計算機４となる。
【００６６】
団体側面談希望出力部３７Ｃは、団体側面談希望受信部３２Ｂで受信した面談希望の意思表示を医師側計算機６に出力するものである。
【００６７】
メッセージ出力部３７Ｄは、所属員に対応付けられた全ての所属員側計算機４にメッセージを出力するものである。メッセージには、例えば、検査装置２により検査を行うべきことを勧奨する検査勧奨メッセージ、再検査の判定結果（再検査勧奨メッセージ：図６（Ａ）参照）を受けた所属員に対して検査装置２により再検査を行うことを勧奨する再検査再勧奨メッセージ、医師面談の判定結果（面談勧奨メッセージ：図６（Ａ）参照）を受けた所属員に対して医師面談を行うことを再勧奨する面談再勧奨メッセージ等のいずれかが含まれる。検査勧奨メッセージは、検査を行うべき旨が所属員に周知になることを主目的としたものである。つまり、目的によっては、検査勧奨メッセージは、検査周知メッセージと読み替えることもできる。検査勧奨メッセージを受信した全所属員は、期限内に検査装置２により検査を行うべきことを認識する。また、メッセージ出力部３７Ｄは、メッセージ出力判定部３８から指示された所属員に対応付けられた所属員側計算機４に、検査勧奨メッセージ、再検査再勧奨メッセージ、面談再勧奨メッセージのいずれかを出力する。
【００６８】
メッセージ出力判定部３８は、メッセージ出力部３７Ｄが出力すべきメッセージを判定してメッセージ出力部３７Ｄに対して指示を行う。メッセージ出力判定部３８は、例えば、メッセージ出力部３７Ｄが検査勧奨メッセージを所属員側計算機４に出力してから所定期間内に、健康状態指標を検査情報受信部３２Ａが受信したかどうかを所属員の識別情報毎に監視する。そして、メッセージ出力判定部３８は、健康状態指標の受信が確認されていない所属員に対応付けられた所属員側計算機４に対して、再度、検査勧奨メッセージを出力すべきと判定する。この判定結果を受けて、メッセージ出力部３７Ｄは、所属員側計算機４に対して、再度、検査勧奨メッセージを出力する。つまり、メッセージ出力判定部３８は、所定期間内に、検査装置２により検査を行っていない所属員に対して、再度、検査勧奨メッセージが出力されるように動作する。
【００６９】
また、メッセージ出力判定部３８は、例えば、メッセージ出力部３７Ｄから検査勧奨メッセージが出力された後に、健康状態指標の受信が確認された所属員に対して、判定結果記憶部３４Ａで記憶される判定結果、および指示対応テーブル３００を参照して、判定結果に応じた指示を判定する。この場合の指示対応テーブル３００の一例について図６（Ｂ）を参照して以下説明する。
【００７０】
図６（Ｂ）に示すように、指示対応テーブル３００には、例えば、さらに、ＡＨＩ数値３１０それぞれに対応するフラグ３５０、インターバル３６０、回数３７０、メッセージ３８０が含まれる。ＡＨＩ数値３１０の第一範囲（問題無し）に対応するメッセージ３８０は、「自己検査を行って下さい」（検査勧奨メッセージ）であり、ＡＨＩ数値３１０の第二範囲（軽度な異常有り）に対応するメッセージ３８０は、「ただちに、同様の自己検査で、再検査を行って下さい」（再検査再勧奨メッセージ）であり、ＡＨＩ数値３１０の第三範囲（異常有り）に対応するメッセージ３８０は、「結果を持って、速やかに医師面談を受けて下さい」（面談再勧奨メッセージ）である。
【００７１】
フラグ３５０は、対応するメッセージ３８０を送るか否かを表すフラグである。フラグ３５０がオンになっていれば、対応するメッセージ３８０が送られ、オフの場合、対応するメッセージ３８０は送られない。
【００７２】
インターバル３６０は、判定結果、または、対応するメッセージ３８０が送られてからの経過日数を表す。インターバル３６０に設定された日数以内に、対応する所属員から検査情報または面談希望意思表示を受信しなかった場合、メッセージ出力判定部３８は、対応するメッセージ３８０を出力すべき旨の指示をメッセージ出力部３７Ｄに対して行う。例えば、判定結果がＡＨＩ数値３１０の第一範囲にある場合、１回目のメッセージ３８０（検査勧奨メッセージ）は、判定結果が出されてから６０日経過後に出力される。１回目のメッセージ３８０（検査勧奨メッセージ）が出力されてから３０日以内に、検査情報が検査情報受信部３２Ａで受信されない場合、２回目のメッセージ３８０（検査勧奨メッセージ）が出力される。以上は、団体で６０日毎に定期検査を行うべきことが決められている場合における検査機会の定期的なお知らせに相当する。
【００７３】
同様に、例えば、判定結果がＡＨＩ数値３１０の第二範囲にある場合、１回目のメッセージ３８０（再検査再勧奨メッセージ）は、再検査の判定結果（再検査勧奨メッセージ：図６（Ａ）参照）が出されてから２０日経過後に出力される。１回目のメッセージ３８０（再検査再勧奨メッセージ）が出力されてから５日以内に、検査情報が検査情報受信部３２Ａで受信されない場合、２回目のメッセージ３８０（再検査再勧奨メッセージ）が出力される。また、例えば、判定結果がＡＨＩ数値３１０の第三範囲にある場合、１回目のメッセージ３８０（面談再勧奨メッセージ）は、医師面談の判定結果（面談勧奨メッセージ：図６（Ａ）参照）が出されてから１５日経過後に出力される。１回目のメッセージ３８０（面談再勧奨メッセージ）が出力されてから５日以内に、面談希望意思表示が団体側面談希望受信部３２Ｂで受信されない場合、２回目のメッセージ３８０（面談再勧奨メッセージ）が出力される。
【００７４】
回数３７０は、対応するメッセージ３８０がメッセージ出力部３７Ｄから出力される限度回数を表す。したがって、限度回数に達すると、それ以降は、対応するメッセージ３８０は、出力されない。
【００７５】
なお、指示対応テーブル３００におけるフラグ３５０、インターバル３６０、回数３７０、メッセージ３８０の内容は、団体側条件記憶部３０Ａで記憶された条件の下に決定される。指示対応テーブル３００におけるフラグ３５０、インターバル３６０、回数３７０、メッセージ３８０の内容が更新される場合、指示対応テーブル更新部３１を通じて更新される。メッセージ出力判定部３８は、主として、計算機１１におけるＣＰＵ１０１、ＲＡＭ１０２、メッセージ再出力処理のためのプログラムが書き込まれたＲＯＭ１０３等により実現される。
【００７６】
検査情報出力部３７Ｅは、検査情報受信部３２Ａで受信された検査情報を外部隔離計算機５に出力する。外部隔離計算機５は、その検査情報を受信して記憶する。
【００７７】
団体側表示部３９Ａは、指示対応テーブル３００、または、出力先対応テーブル５００、または、検査勧奨メッセージ、または、団体側条件（図６（Ｃ）参照）等を表示するものである。団体の運営者は、団体側表示部３９Ａに表示された指示対応テーブル３００、または、出力先対応テーブル５００を見ながら、指示対応テーブル更新部３１、または、出力先対応テーブル更新部３６により、内容を更新する。また、団体の運営者は、団体側表示部３９Ａに表示された検査勧奨メッセージ表示枠を見ながら、団体側入力部３９Ｂを操作して、検査勧奨メッセージを入力する。また、団体の運営者は、団体側表示部３９Ａに表示された団体側条件を見ながら、団体側条件更新部３０Ｂにより、団体側条件記憶部３０Ａに記憶される団体側条件を更新する。団体側表示部３９Ａは、主として、計算機１１における表示制御部１１１、表示装置１１２等により実現される。団体側入力部３９Ｂは、主として、計算機１１における操作入力インターフェース１０９、操作入力装置１１０等により実現される。団体側条件更新部３０Ｂは、主として、計算機１１におけるＣＰＵ１０１、ＲＡＭ１０２、更新のためのプログラムが書き込まれたＲＯＭ１０３、操作入力インターフェース１０９および操作入力装置１１０等で実現される。
【００７８】
以上のように団体側計算機３は、検査装置２から出力された検査情報を判定して、判定結果を所属員側計算機４に出力する。そして、健康状態指標は判定を行った後に破棄される。また、団体側計算機３は、医師との面談希望の意思表示を、所属員側計算機４との間で医師側計算機６に中継する。したがって、団体側計算機３は、単に、判定結果を従業員に伝えたり、医師との面談希望の意思表示を中継したりするだけのものであり、健康状態指標等の重要な個人情報を保持したりしない。このため、団体側計算機３が外部からハッキングされたとしても重要な情報を盗まれることがない。また、団体の運営側も健康状態指標を保持することにより、所属員に対する何らかの健康管理を行わなくてはいけないという暗黙の義務や負担を有せずに済む。なお、医師との面談希望の意思表示は、団体側計算機３を介せずに、所属員側計算機４から医師側計算機６に直接出力されてもよい。
【００７９】
＜所属員側計算機＞
図９を参照して、所属員側計算機４について説明する。所属員側計算機４は、所属員に対応付けられる計算機である。所属員側計算機４は、団体側計算機３から出力される判定結果、または、検査勧奨メッセージを受信する。
【００８０】
＜所属員側計算機のハード構成＞
所属員側計算機４は、＜団体側計算機のハード構成＞で説明した計算機１１と同様の構成である。具体的に所属員側計算機４として、図１０に示すように、例えば、携帯可能なスマートフォン１２が一例として挙げられるが、これに限定されるものではなく、その他のタワー型のパソコンやノートパソコンであってもよい。また、所属員側計算機４は、検査装置２と一体となった構成でもよい。この場合、検査装置２および所属員側計算機４は、計算機１０により構成される。
【００８１】
＜所属員側計算機の機能ブロック＞
図９を参照して、所属員側計算機４の機能ブロックについて説明する。所属員側計算機４は、例えば、所属員側受信部４０と、所属員側表示部４１と、所属員側入力部４２と、所属員側出力部４３と、を有する。
【００８２】
所属員側受信部４０は、団体側計算機３から出力される情報を受信するものである。所属員側受信部４０は、例えば、判定結果受信部４０Ａと、メッセージ受信部４０Ｃと、を有する。判定結果受信部４０Ａは、団体側計算機３の判定結果出力部３７Ｂから出力される判定結果を受信する。判定結果受信部４０Ａは、指示内容３４０（図６（Ａ）参照、以下においても同様。）を受信する指示受信部４０Ｂを有する。メッセージ受信部４０Ｃは、メッセージ出力部３７Ｄから出力されるメッセージ（例えば、検査勧奨メッセージ、再検査再勧奨メッセージ、面談再勧奨メッセージ等）を受信するものである。所属員側受信部４０は、主として、計算機１１における無線通信インターフェース１０５およびアンテナ１０６、または、計算機１１における有線通信インターフェース１０７および接続コネクタ１０８等により実現される。
【００８３】
所属員側表示部４１は、所属員側受信部４０で受信された情報を表示するものである。所属員側表示部４１では、図１０に示すように、例えば、判定結果として「睡眠時無呼吸の自己検査結果」が表示される。所属員側表示部４１は、主として、計算機１１における表示制御部１１１、表示装置１１２等により実現される。
【００８４】
所属員側入力部４２は、外部からの入力を受け付けるものである。所属員側入力部４２を通じて、医師への面談希望の意思表示の入力が受け付けられる。所属員側入力部４２は、例えば、タッチパネル方式の入力態様が一例として挙げられる。所属員側入力部４２は、主として、計算機１１における操作入力インターフェース１０９、操作入力装置１１０等により実現される。
【００８５】
所属員側出力部４３は、外部に情報を出力するものである。所属員側出力部４３は、面談希望意思表示を出力する面談希望意思表示出力部４３Ａを有する。所属員側出力部４３は、主として、計算機１１における無線通信インターフェース１０５およびアンテナ１０６、または、計算機１１における有線通信インターフェース１０７および接続コネクタ１０８等により実現される。
【００８６】
例えば、所属員側入力部４２がタッチパネル方式の場合、所属員側表示部４１には、図１０に示すように、例えば、面談希望表示４１Ａが表示画面の一領域に表示される。その面談希望表示４１Ａが外部からタッチされると、図１１に示すように、例えば、所属員側表示部４１には、最終確認表示４１Ｂが表示される。ここで、「はい」表示４１Ｃがタッチされると、医師に面談を希望する旨の意思表示である面談希望意思表示が面談希望意思表示出力部４３Ａから出力される。出力先は、団体側計算機３、または、医師側計算機６のいずれか一方、または双方であってもよい。
【００８７】
＜外部隔離計算機＞
図１２（Ａ），（Ｃ）を参照して、外部隔離計算機５について説明する。外部隔離計算機５は、団体側計算機３を運営する団体から独立した団体により運営される計算機である。外部隔離計算機５は、団体側計算機３または検査装置２から出力される検査情報を受信して記憶する。検査情報として、検査装置２で導出された健康状態指標等の検査情報や、所属員の識別情報が一例として挙げられる。そして、外部隔離計算機５には、外部隔離計算機５により許容された外部の計算機からのみアクセス可能である。外部隔離計算機５にアクセス可能な計算機は限定されており、例えば、団体側計算機３からのアクセスが制限されるように、外部隔離計算機５は、団体側計算機３から隔離されていることが好ましい。
【００８８】
＜外部隔離計算機のハード構成＞
外部隔離計算機５は、＜団体側計算機のハード構成＞で説明した計算機１１と同様の構成である。具体的に外部隔離計算機５として、例えば、タワー型のパソコンやソートパソコンが一例として挙げられる。
【００８９】
＜外部隔離計算機の機能ブロック＞
図１２（Ａ）を参照して、外部隔離計算機５の機能ブロックについて説明する。外部隔離計算機５は、例えば、外部隔離側検査情報受信部５０と、外部隔離側検査情報記憶部５１と、外部隔離側検査情報表示部５２と、アクセス制御部５３と、を有する。
【００９０】
外部隔離側検査情報受信部５０は、団体側計算機３の検査情報出力部３７Ｅ、または、検査装置２の検査側出力部２４から出力される検査情報を受信するものである。外部隔離側検査情報受信部５０は、主として、計算機１１における無線通信インターフェース１０５およびアンテナ１０６、または、計算機１１における有線通信インターフェース１０７および接続コネクタ１０８等により実現される。
【００９１】
外部隔離側検査情報記憶部５１は、外部隔離側検査情報受信部５０で受信した検査情報を記憶するものである。外部隔離側検査情報記憶部５１では、図１２（Ｃ）に示すように、例えば、所属員の識別番号毎に、健康状態指標としてのＡＨＩを外部隔離側検査情報受信部５０での受信日時に対応付けて検査情報が記憶される。主として、計算機１１における記憶媒体１０４等により実現される。
【００９２】
外部隔離側検査情報表示部５２は、外部隔離側検査情報記憶部５１で記憶される検査情報を表示するものである。外部隔離側検査情報表示部５２では、図１２（Ｃ）に示すようなテーブルが画面に表示される。外部隔離側検査情報表示部５２は、主として、計算機１１における表示制御部１１１、表示装置１１２等により実現される。
【００９３】
アクセス制御部５３は、外部からのアクセスを制御するものである。アクセス制御部５３により許容された計算機のみが外部隔離側検査情報記憶部５１で記憶された内容を閲覧することができる。したがって、アクセス制御部５３により団体側計算機３からのアクセスが制限されれば、団体側は、外部隔離側検査情報記憶部５１で記憶された内容を閲覧することができない。なお、アクセス制御部５３では、団体側計算機３からのアクセスが制限されるよう設定されることが好ましい。また、アクセス制御部５３は、アクセスを許容した外部の計算機毎に、アクセス可能な情報を制限することができる。例えば、所定の計算機は、特定の所属員の情報の全部または一部へのアクセスを許容され、別の所定の計算機は、別の特定の所属員の情報の全部または一部へのアクセスを許容されるというような態様が一例として挙げられる。
【００９４】
＜医師側計算機＞
図１２（Ｂ）を参照して、医師側計算機６について説明する。医師側計算機６は、医師が運営する計算機である。医師側計算機６は、団体側計算機３、または、所属員側計算機４から出力される面談希望意思表示を受信するものである。
【００９５】
＜医師側計算機のハード構成＞
医師側計算機６は、＜団体側計算機のハード構成＞で説明した計算機１１と同様の構成である。具体的に医師側計算機６として、例えば、タワー型のパソコン、またはノートパソコンが一例として挙げられる。
【００９６】
＜医師側計算機の機能ブロック＞
図１２（Ｂ）を参照して、医師側計算機６の機能ブロックについて説明する。医師側計算機６は、例えば、医師側面談希望受信部６０と、医師側表示部６１と、オンライン面談部６２と、を有する。
【００９７】
医師側面談希望受信部６０は、所属員側計算機４の面談希望意思表示出力部４３Ａから出力される面談希望意思表示を受信するか、または、団体側計算機３の団体側面談希望出力部３７Ｃから出力される面談希望意思表示を受信するものである。医師側面談希望受信部６０は、主として、計算機１１における無線通信インターフェース１０５およびアンテナ１０６、または、計算機１１における有線通信インターフェース１０７および接続コネクタ１０８等により実現される。
【００９８】
医師側表示部６１は、医師側面談希望受信部６０で受信された面談希望意思表示を表示するものである。この表示を見て医師は、所属員が面談希望をしていることを把握することができる。医師側表示部６１は、主として、計算機１１における表示制御部１１１、表示装置１１２等により実現される。
【００９９】
オンライン面談部６２は、所属員側計算機４と映像を通して遠隔で面談させるものである。これにより、所属員側計算機４と医師側計算機６を通じてお互いの映像および音声を医師と所属員は共有することができ、遠隔で面談することができる。なお、医師が所属員と面談する際、検査情報やそれに対応する判定結果を閲覧できる状態にあれば、より的確な診察を行うことができる。このため、医師側計算機６は、外部隔離計算機５にアクセスを許容された状態であることが好ましい。また、医師側計算機６には、面談希望をした所属員の検査情報やそれに対応する判定結果が出力されることが好ましい。なお、医師側計算機６で閲覧可能な検査情報として、検査装置２で導出された健康状態指標のみならず、例えば、呼吸状態の時間経過波形などの生体情報も含まれることが好ましい。また、医師の責任負担軽減の観点から、医師側計算機６は、外部隔離計算機５で記憶される面談希望に対応する所属員の情報の少なくとも一部についてのみ外部隔離計算機５へのアクセスを許容されることが好ましい。
【０１００】
＜検査方法＞
図１３を参照して、検査システム１を用いた検査方法について説明する。まず、団体側計算機３のメッセージ出力部３７Ｄから所属員側計算機４に検査勧奨メッセージが出力される（ステップＳ１００）。次に、所属員側計算機４のメッセージ受信部４０Ｃにおいて検査勧奨メッセージが受信される（ステップＳ１０１）。そして、所属員側計算機４の所属員側表示部４１において検査勧奨メッセージが表示される（ステップＳ１０２）。これにより、所属員に対して検査装置２を用いた自己検査を勧奨することができる。なお、検査装置２には、ステップＳ１０２より以前、または、以後に、検査対象となる所属員の識別情報が入力される（ステップＳ１０３）。
【０１０１】
次に、ステップＳ１０２において検査勧奨メッセージが表示された後に、所属員は、検査装置２により検査を開始する（ステップＳ１０４）。これにより、検査装置２の生体情報取得部２０は、検査対象となる所属員の生体情報を取得し始める。そして、健康状態指標導出部２１で健康状態指標が導出される。検査装置２による検査が終了すると（ステップＳ１０５）、検査装置２の検査側出力部２４から検査情報が団体側計算機３に出力される（ステップＳ１０６）。
【０１０２】
次に、団体側計算機３の検査情報受信部３２Ａで健康状態指標を含む検査情報が受信される（ステップＳ１０７）。団体側計算機３のバッファ部３３で検査情報が一時的に保持される（ステップＳ１０８）。団体側計算機３の判定部３４でこの健康状態指標に対して判定処理が行われる（ステップＳ１０９）。判定結果が団体側計算機３の判定結果出力部３７Ｂから所属員側計算機４に出力される（ステップＳ１１０）。また、外部隔離計算機５に健康状態指標を含む検査情報が出力される（ステップＳ１１１）。その後、検査情報受信部３２Ａで受信された健康状態指標は破棄される（ステップＳ１１２）。そして、所属員側計算機４で所属員側処理が行われる（ステップＳ１１３）。
【０１０３】
以上のように、本実施形態における検査方法によれば、所属員の自己検査を促進することができる。また、団体側計算機３は、重要な情報を破棄するため、セキュリティ面からも本実施形態における検査方法は安全である。
【０１０４】
＜所属員側処理＞
図１４を参照して、所属員側処理について説明する。所属員側処理は、判定結果に対して所属員側計算機４で行われる処理である。まず、所属員側計算機４の判定結果受信部４０Ａで判定結果が受信される（ステップＳ２００）。なお、判定結果には、指示内容３４０が含まれ、指示内容３４０は、指示受信部４０Ｂで受信される。
【０１０５】
次に、判定結果における指示内容３４０が面談指示（面談勧奨メッセージ：図６（Ａ）参照）である場合（ステップＳ２０１）、所属員側計算機４の所属員側表示部４１には、例えば、図１０の「対応指示内容」に示すように、医師と面談することを勧奨する面談指示表示が表示される（ステップＳ２０２）。面談指示表示には、図１０に示すように、面談希望表示４１Ａが併せて表示される。
【０１０６】
面談を希望する場合、例えば、面談希望表示４１Ａをタッチして、面談希望の意思表示を入力すると（ステップＳ２０３）、面談希望意思表示が面談希望意思表示出力部４３Ａから出力される（ステップＳ２０４）。
【０１０７】
一方、判定結果における指示内容３４０が再検査指示（再検査勧奨メッセージ：図６（Ａ）参照）である場合（ステップＳ２０５）、所属員側計算機４の所属員側表示部４１には、例えば、図１０の「対応指示内容」に示す部分に、「ただちに、同様の自己検査で、再検査を行って下さい」という再検査表示がされる（ステップＳ２０６）。また、判定結果における指示内容３４０が面談指示および再検査指示でもない場合（ステップＳ２０５）、所属員側計算機４の所属員側表示部４１には、例えば、図１０の「対応指示内容」に示す部分に、「睡眠に関して、特記対応無し。引き続き、健康の維持に努めて下さい」という経過観察表示がされる（ステップＳ２０７）。
【０１０８】
＜判定処理＞
図１５を参照して、判定処理について説明する。まず、バッファ部３３で一時保持された検査情報のうち、健康状態指示指標の大きさが第一閾値（例えば、ＡＨＩ数値「３０」）以上かどうか判定部３４で判断される（ステップＳ３００）。健康状態指示指標の大きさが第一閾値以上と判定部３４で判定されると、判定部３４は、指示対応テーブル３００を参照して、指示内容３４０として医師面談が適切と判定する（ステップＳ３０１）。
【０１０９】
健康状態指示指標の大きさが第一閾値以下と判定部３４で判定されると、次に、健康状態指示指標の大きさが第二閾値（例えば、ＡＨＩ数値「１５」）以下かどうか判定部３４で判断される（ステップＳ３０２）。健康状態指示指標の大きさが第二閾値以下と判定部３４で判定されると、判定部３４は、指示対応テーブル３００を参照して、指示内容３４０として経過観察が適切と判定する（ステップＳ３０３）。健康状態指示指標の大きさが第二閾値以上と判定部３４で判定されると、通常は、判定部３４は、指示対応テーブル３００を参照して、指示内容３４０として再検査が適切と判定する（ステップＳ３０５）。つまり、健康状態指示指標の大きさが第二閾値以上第一閾値以下にある場合、再検査が適切と判断される。
【０１１０】
しかしながら、再検査が適切な状態が複数回続く場合、指示内容３４０として医師面談が適切と判定することが好ましい。このため、ステップ３０２において、健康状態指示指標の大きさが第二閾値以上と判定部３４で判定されても、直前の検査までに再検査判定が所定回数連続して出されたかどうかが判定部３４で判断される（ステップＳ３０４）。判定結果記憶部３４Ａに判定結果が記憶されているため、その情報に基づいて行われる。
【０１１１】
再検査判定が所定回数連続して出されていなければ、判定部３４は、指示内容３４０として再検査が適切と判定する（ステップＳ３０５）。再検査判定が所定回数連続して出されていれば、判定部３４は、指示内容３４０として医師面談が適切と判定する（ステップＳ３０１）。
【０１１２】
＜検査勧奨メッセージ再出力処理＞
図１６を参照して、検査勧奨メッセージ再出力処理について説明する。検査勧奨メッセージ再出力処理とは、検査勧奨メッセージを一定条件の下、団体側計算機３から所属員側計算機４に再出力する処理を指す。検査勧奨メッセージ再出力処理において、まず、図１３に示すように、団体側計算機３のメッセージ出力部３７Ｄから最初の検査勧奨メッセージが出力されてから（ステップＳ１００）、所定期間内に検査情報受信部３２Ａで検査情報が受信されたかどうか所属員の識別情報毎にメッセージ出力判定部３８で判定される（ステップＳ４００）。
【０１１３】
検査情報受信部３２Ａで所属員の識別情報に対応する検査情報が受信されていないと判定されると、通常は、メッセージ出力判定部３８から検査勧奨メッセージを再出力するようメッセージ出力部３７Ｄに対して指示が行われ、メッセージ出力部３７Ｄから検査勧奨メッセージが再出力される（ステップＳ４０２）。
【０１１４】
しかしながら、検査勧奨メッセージを際限なく送り続けると、所属員にとって馴れとなって、所属員が検査を行うことを勧奨する効果が低くなる可能性があるため、検査勧奨メッセージを送る回数は制限された方が好ましい。このため、検査情報受信部３２Ａで検査情報が受信されないまま、検査勧奨メッセージが再出力された回数が所定回数に達したかが、所属員の識別情報毎にメッセージ出力判定部３８で判断される（ステップＳ４０２）。検査勧奨メッセージの再出力回数が所定回数の達していなければ、団体側計算機３のメッセージ出力部３７Ｄから検査勧奨メッセージが再出力される（ステップＳ４０２）。一方、検査勧奨メッセージの再出力回数が所定回数の達していれば、メッセージ出力部３７Ｄから検査勧奨メッセージが再出力されない。
【０１１５】
次に、団体側計算機３のメッセージ出力部３７Ｄから検査勧奨メッセージが再出力されてから所定期間内に、検査勧奨メッセージの再出力先の所属員の識別情報に対応付けられた検査情報が検査情報受信部３２Ａで受信されたかどうかメッセージ出力判定部３８で判断される（ステップＳ４０３）。メッセージ出力判定部３８で受信済みと判断されると、再出力処理は終了する。一方、メッセージ出力判定部３８で受信していないと判断されると、再度、ステップＳ４０２の処理に戻る。
【０１１６】
＜第二実施形態＞
図１７を参照して、本発明の第二実施形態における検査システム１について説明する。本発明の第二実施形態における検査システム１は、図１７（Ａ）に示すように、本発明の第一実施形態における検査システム１と同様に、例えば、検査装置２と、団体側計算機３と、所属員側計算機４と、外部隔離計算機５と、医師側計算機６と、を備える。
【０１１７】
本発明の第一実施形態における検査システム１では、検査装置２は、無線通信により検査情報を団体側計算機３に出力することが想定されていたが、本実施形態の検査システム１では、検査装置２は、図１７（Ａ）に示すように、有線通信により検査情報を団体側計算機３に出力する。具体的に検査装置２は、有線のデータ転送ケーブル８Ａにより団体側計算機３と接続され、データ転送ケーブル８Ａを通じて検査情報を団体側計算機３に出力することが想定される。
【０１１８】
また、本発明の第一実施形態における検査システム１では、所属員側計算機４は、無線通信により団体側計算機３と通信していたが、本実施形態の検査システム１では、所属員側計算機４は、図１７（Ａ）に示すように、有線通信により団体側計算機３と通信する。具体的に、所属員側計算機４は、データ転送ケーブル８Ｂにより団体側計算機３と接続され、データ転送ケーブル８Ｂを通じて判定結果が団体側計算機３から出力されてくる。
【０１１９】
所属員側計算機４として、例えば、プリンター等の印刷装置、または、外部液晶モニタ等の表示装置が一例として挙げられる。所属員側計算機４としてのプリンター等の印刷装置から判定結果が印刷物として出力されたり、または、所属員側計算機４としての外部液晶モニタ等の表示装置の画面に判定結果が表示されたりする。また、図１７（Ｂ）に示すように、所属員側計算機４は、団体側計算機３の一部を構成するものと捉えてもよい。団体側計算機３の一部を構成する所属員側計算機４として、例えば、図４に示す計算機１１の表示装置１１２が挙げられる。また、図１７（Ｂ）に示すように、所属員側計算機４は、検査装置２と一体となったものと捉えてもよい。所属員側計算機４は、例えば、図２に示す計算機１１の表示装置１１２が挙げられる。
【０１２０】
尚、本発明の検査システム１、および検査方法は、上記した実施の形態に限定されるものではなく、本発明の要旨を逸脱しない範囲内において種々変更を加え得ることは勿論である。
【符号の説明】
【０１２１】
１  検査システム
２  検査装置
３  団体側計算機
４  所属員側計算機
５  外部隔離計算機
６  医師側計算機
７  ネットワーク
８Ａ，８Ｂ  データ転送ケーブル
１０，１１  計算機
１２  スマートフォン
２０  生体情報取得部
２０Ａ  検査情報受信部
２１  健康状態指標導出部
２２  検査側入力部
２３  検査側記憶部
２４  検査側出力部
３０  指示対応テーブル記憶部
３０Ａ  団体側条件記憶部
３０Ｂ  団体側条件更新部
３１  指示対応テーブル更新部
３２  団体側受信部
３２Ａ  検査情報受信部
３２Ｂ  団体側面談希望受信部
３３  バッファ部
３４  判定部
３４Ａ  判定結果記憶部
３５  出力先対応テーブル記憶部
３６  出力先対応テーブル更新部
３７  団体側出力部
３７Ａ  指示出力部
３７Ｂ  判定結果出力部
３７Ｃ  団体側面談希望出力部
３７Ｄ  メッセージ出力部
３７Ｅ  検査情報出力部
３８  メッセージ出力判定部
３９Ａ  団体側表示部
３９Ｂ  団体側入力部
４０  所属員側受信部
４０Ａ  判定結果受信部
４０Ｂ  指示受信部
４０Ｃ  メッセージ受信部
４１  所属員側表示部
４２  所属員側入力部
４３  所属員側出力部
４３Ａ  面談希望意思表示出力部
５０  外部隔離側検査情報受信部
５１  外部隔離側検査情報記憶部
５２  外部隔離側検査情報表示部
６０  医師側面談希望受信部
６１  医師側表示部
３００  指示対応テーブル
５００  出力先対応テーブル
【図１】
2020095593.tif 000003
【図２】
2020095593.tif 000004
【図３】
2020095593.tif 000005
【図４】
2020095593.tif 000006
【図５】
2020095593.tif 000007
【図６】
2020095593.tif 000008
【図７】
2020095593.tif 000009
【図８】
2020095593.tif 000010
【図９】
2020095593.tif 000011
【図１０】
2020095593.tif 000012
【図１１】
2020095593.tif 000013
【図１２】
2020095593.tif 000014
【図１３】
2020095593.tif 000015
【図１４】
2020095593.tif 000016
【図１５】
2020095593.tif 000017
【図１６】
2020095593.tif 000018
【図１７】
2020095593.tif 000019